(57)【要約】      （修正有）【課題】ＬＣレンズに適した特性を有する新規な材料を提供する。【解決手段】ＬＣレンズおよびＬＣレンズに使用される液晶媒体であって、式ＩおよびＩＩ2020021065.tif 000173で示される１つ以上の化合物それぞれを含む媒体に関する。【選択図】なし【特許請求の範囲】
【請求項１】
基板上の電極と液晶媒体とを含む液晶レンズにおいて、前記液晶媒体は、
−  式I
【化１】
2020021065.tif 000147
［式中、
Ｒ１１およびＲ１２は、同一であるかまたは異なって、Ｈ、１〜１２個のＣ原子を有するアルキルもしくはアルコキシまたは２〜１２個のＣ原子を有するアルケニル、アルケニルオキシもしくはアルコキシアルキルを指し、ここで、１つ以上のＣＨ２基は、
【化２】
2020021065.tif 000148
により置き換えられていてもよく、ここで、１つ以上のＨ原子は、フッ素により置き換えられていてもよく、
Ｌ１１、Ｌ１２、Ｌ１３は、互いに独立して、Ｈ、ＣｌまたはＦを指し、
【化３】
2020021065.tif 000149
は、
【化４−１】
2020021065.tif 000150
【化４−２】
2020021065.tif 000151
を指し、
【化５】
2020021065.tif 000152
は、
【化６】
2020021065.tif 000153
を指し、
Ｚ１は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−、−ＣＨ＝ＣＨＣＨ２Ｏ−を指し、
ｎは、０または１である］
で示される１つ以上の化合物と、
−  式ＩＩ
【化７】
2020021065.tif 000154
［式中、
Ｒ２は、上記Ｒ１１の意味を有し、
Ｘ２は、Ｆ、Ｃｌ、ＣＦ３、ＯＣＦ３、ＣＮまたはＮＣＳを指し、
Ｚ２は、Ｃ＝ＯまたはＣＦ２を指し、
Ｌ２１、Ｌ２２およびＬ２３は、同一であるかまたは異なって、ＨまたはＦを指し、
Ｌ２は、Ｈまたは１〜６個のＣ原子を有するアルキルを指し、
【化８】
2020021065.tif 000155
は、
【化９】
2020021065.tif 000156
であり、
【化１０】
2020021065.tif 000157
は、
【化１１】
2020021065.tif 000158
であり、
【化１２】
2020021065.tif 000159
が、
【化１３】
2020021065.tif 000160
である場合、
【化１４】
2020021065.tif 000161
は、代替的に、
【化１５】
2020021065.tif 000162
を指し、
ｍおよびｎは、互いに独立して、０または１である］
で示される１つ以上の化合物とを含有することを特徴とする、
液晶レンズ。
【請求項２】
式ＩＩ中のＺ２が、Ｃ＝Ｏを表す、請求項１記載のレンズ。
【請求項３】
前記式ＩＩで示される１つ以上の化合物が、式ＩＩＺ
【化１６】
2020021065.tif 000163
［式中、前記基およびパラメータは、請求項１における前記式ＩＩについて与えられた意味を有する］
で示される化合物から選択される、請求項１または２記載のレンズ。
【請求項４】
前記式Ｉで示される１つ以上の化合物が、式Ｉ−１〜Ｉ−３：
【化１７】
2020021065.tif 000164
［式中、
Ｒ１１およびＲ１２は、請求項１に定義される意味を有し、
Ｚ１は、−ＣＯ−Ｏ−、−ＣＨ２ＣＨ２−または単結合を指し、
Ｌ１１〜Ｌ１３は、それぞれ互いに独立して、ＨまたはＦを表す］
で示される化合物の群から選択される、請求項１から３までのいずれか１項記載のレンズ。
【請求項５】
前記液晶媒体が、式Ｉ−１で示される１つ以上の化合物、式Ｉ−２で示される１つ以上の化合物および式Ｉ−３で示される１つ以上の化合物を含む、請求項４記載のレンズ。
【請求項６】
前記式Ｉで示される１つ以上の化合物の割合が、４０％以上である、請求項１から５までのいずれか１項記載のレンズ。
【請求項７】
前記液晶媒体が、式ＩＩＩ
【化１８】
2020021065.tif 000165
［式中、
Ｒ３１、Ｒ３２が、同一であるかまたは異なって、１〜２０個のＣ原子を有するアルキルを指し、同アルキルが、直鎖または分岐鎖であり、置換されていないかまたはＦ、ＣｌもしくはＣＮにより一置換もしくは多置換されており、ここで、１つ以上のＣＨ２基が、各場合において、互いに独立して、−Ｏ−、−Ｓ−、−ＣＯ−、−ＣＯＯ−、−ＯＣＯ−、−ＯＣＯ−Ｏ−、−Ｓ−ＣＯ−、−ＣＯ−Ｓ−、―ＣＨ＝ＣＨ−または−Ｃ≡Ｃ−により、Ｏ原子および／またはＳ原子が互いに直接結合していないような様式で、場合により置き換えられており、
【化１９】
2020021065.tif 000166
が、互いに独立して、
【化２０】
2020021065.tif 000167
を指し、
Ｚ３１およびＺ３２が、各出現において、同一であるかまたは異なって、−ＣＨ２ＣＨ２−、−ＣＦ２ＣＦ２−、−ＣＦ２ＣＨ２−、−ＣＯＯ−、ｔｒａｎｓ−−ＣＨ＝ＣＨ−、ｔｒａｎｓ−−ＣＦ＝ＣＦ−、−ＣＨ２Ｏ−、−ＣＦ２Ｏ−、−Ｃ≡Ｃ−または単結合を指し、
ｐが、０、１または２である］
で示される１つ以上の化合物を含む、請求項１から６までのいずれか１項記載のレンズ。
【請求項８】
前記液晶媒体中の前記式ＩＩＩで示される１つ以上の化合物の割合が、３０％以下である、請求項７記載のレンズ。
【請求項９】
前記液晶媒体が、式ＩＩＩ−３
【化２１】
2020021065.tif 000168
［式中、出現する基が、請求項６における前記式ＩＩＩについて与えられた意味を有する］
で示される１つ以上の化合物を含む、請求項１から８までのいずれか１項記載のレンズ。
【請求項１０】
前記液晶媒体が、式ＶＩ
【化２２】
2020021065.tif 000169
［式中、
【化２３】
2020021065.tif 000170
が、
【化２４】
2020021065.tif 000171
を指し、
Ｒ６が、Ｈ、１〜１２個のＣ原子を有するアルキルもしくはアルコキシまたは２〜１２個のＣ原子を有するアルケニル、アルケニルオキシもしくはアルコキシアルキルを指し、ここで、１つ以上のＣＨ２基が、
【化２５】
2020021065.tif 000172
により置き換えられていてもよく、それらの全てにおいて、１つ以上のＨ原子が、フッ素により置き換えられていてもよく、
Ｘ６が、ＣＮ、Ｆ、ＣＦ３またはＯＣＦ３、好ましくはＣＮを指し、
Ｙ６１、Ｙ６２が、同一であるかまたは異なって、Ｈ、ＣｌまたはＦを表す］
で示される１つ以上の化合物を含む、請求項１から９までのいずれか１項記載のレンズ。
【請求項１１】
前記液晶媒体が、１００℃以上の澄明点を有する、請求項１から１０までのいずれか１項記載のレンズ。
【請求項１２】
前記電極がパターン形成されている、請求項１記載のレンズ。
【請求項１３】
請求項１から１１までのいずれか１項記載の液晶媒体。
【請求項１４】
請求項１３記載の液晶媒体の製造方法において、請求項１および７で定義された式Ｉで示される１つ以上の化合物、式ＩＩで示される１つ以上の化合物および場合により式ＩＩＩで示される１つ以上の化合物を、１つ以上のさらなる化合物および／または１種以上の添加剤と混合することを特徴とする、方法。
【請求項１５】
ＴＮディスプレイ、ＳＴＮディスプレイ、ＰＤＬＣディスプレイ、位相変調器、カメラ、携帯電話カメラ、３Ｄ  ＬＣＤシャッターガラス、３Ｄディスプレイ、ＬＣレンズ、ホログラフィック投影システム、ＬＣｏＳ空間光変調器またはマイクロ波範囲で動作可能な高周波技術用コンポーネントにおける、請求項１３記載の液晶媒体の使用。
【請求項１６】
請求項１または１２記載の１つ以上のレンズを含む、電気光学デバイスコンポーネント。
【発明の詳細な説明】
【技術分野】
【０００１】
本発明は、液晶（ＬＣ）レンズ、液晶レンズに使用するためのＬＣ媒体および本発明によるＬＣレンズを含むデバイスに関する。
【背景技術】
【０００２】
電気的に調整可能な液晶レンズは、機械的ズームレンズを上回るサイズおよびコストの重要な利点を提供する可能性がある。可能性のある用途は、カメラ、センサ、双眼鏡および他の光電子デバイスである。この利点は、液晶レンズの特性、例えば、小容積（すなわち、薄い形状）、電気的に調整可能な光学ズーム、高速応答および低エネルギー消費に基づいている。
【０００３】
一般的には、カメラ、携帯電話カメラまたは３Ｄ画像処理デバイスは、画像を拡大または最小化するための可変焦点レンズを備えて配置される。従来の対物レンズは、複数のレンズ群を含む。レンズ群が光軸に沿って移動することによりレンズ群間の距離が変化し、それによって焦点距離が変化する。このような種類のレンズでは、変化させる距離の関係が非線形である場合、レンズ群の移動には、より長い距離が必要となる。このため、このような構造では、設計、制御精度が困難であり、製造コストも高い。
【０００４】
電気的に調整可能な可変焦点レンズへの液晶（ＬＣ）の適用は公知であり、例えば、S. Sato 1979 Jpn. J. Appl. Phys. 18, 1679；S. Sato, Optical Review, Vol. 6, No. 6 (1999) 471-485に記載されている。
【０００５】
液晶レンズは、液晶媒体とレンズデバイスとを含む。液晶媒体の複屈折および粘度は、レンズの焦点距離および電気光学的調整の速度に直接影響を及ぼす。従来のディスプレイ用液晶媒体は、通常、０．２未満の複屈折を有する。このようなレンズの光学的要件を満たすためには、０．２より大きい複屈折を有する液晶媒体を使用することが望ましい。
【０００６】
ＬＣレンズは、例えば、ＩＴＯで覆われた凹型または凸型のガラスレンズ上にレンズ形状のＬＣ層を備えることにより実現することができ、焦点距離は、電界を印加することにより、異常光線の値から常光線の値まで連続的に変化させることができる。また、可変焦点特性を有するＬＣレンズも、平面平行構造を使用して実現することができ、この場合、ＬＣダイレクタは、ホールパターン形成電極構造により生成される軸対称不均一電界により再配向される。米国特許第９，７４６，７４５号明細書（ＵＳ  ９，７４６，７４５  Ｂ１）では、液晶材料の複屈折分布を制御するのに使用される複数の同心リング電極からなる構造化電極が同じ目的で提唱されている。
【先行技術文献】
【特許文献】
【０００７】
【特許文献１】米国特許第９，７４６，７４５号明細書
【非特許文献】
【０００８】
【非特許文献１】S. Sato 1979 Jpn. J. Appl. Phys. 18, 1679；S. Sato, Optical Review, Vol. 6, No. 6 (1999) 471-485
【発明の概要】
【課題を解決するための手段】
【０００９】
本発明の別の態様は、ＬＣディスプレイ（ＬＣＤ）である。様々なタイプのＬＣＤは全て周知であり、広く市販されている。観察者に自然な観察体験を提供する画像を表示したいという要望から、近年では、ＴＶセットならびにデスクトップコンピュータおよびラップトップコンピュータ用のモニタならびにまた携帯デバイス、例えば、携帯電話、タブレットコンピュータおよびポータブルＰＯＳディスプレイ用の３次元（３Ｄ）画像を表示可能なディスプレイが導入されている。
【００１０】
このようなディスプレイにおいて、３Ｄ効果をレンダリングするためのいくつかの技術が存在する。第１の分類では、効果を観察するために観察者が特殊な眼鏡を着用することが必ず必要となる種々の技術と、自動立体表示原理を使用する他の技術とを区別することができる。後者は、能動型または受動型の眼鏡に関わらず、観察者が眼鏡を着用する必要がない。
【００１１】
一部の観察者にとって、特に、既に光学（眼科）眼鏡を着用している者にとっては、眼鏡を着用する必要性は、不便である。
【００１２】
眼鏡を必要とする３Ｄレンダリング技術の別の欠点は、眼鏡なしでは全く観察できないため、同時にディスプレイを正しく見ることができる観察者の最大数が、一度に利用可能な眼鏡の数により制限されるという事実である。さらに、眼鏡の表面は劣化しやすい。さらに、画像を表示するパネルと整合したタイミングでシャッターまたは偏光調節子として眼鏡の能動的かつ同期した動作を必要とする能動型眼鏡の場合、眼鏡に同期信号を絶えず提供する必要がある。さらに、エネルギーの供給が観察者に「有線」で提供されない限り、電池を頻繁に再充電する必要があり、これは、さらに不快である場合がある。観察者が特別な眼鏡を着用することを必要とする様々なタイプの３Ｄ技術のこうした欠点ゆえ、現在、眼鏡を使用する必要なしに３Ｄ画像をレンダリング可能なディスプレイに対する強い要求がある。
【００１３】
このような「眼鏡を必要としない」３Ｄ技術は、自動立体ディスプレイと呼ばれる。現在、開発中のこのようなディスプレイには、少なくとも２つの異なるタイプがある。第１のタイプは、２つの別個の情報チャネルにより提供される、右目および左目それぞれにより見られる画像を区別するために、いわゆる「視差バリア」を使用することである。前記視差バリアでは、各目に対して、他方の目に対して生成された表示画像の光路が遮断される。
【００１４】
第２のタイプでは、２つのチャネルの分離のこの効果を達成するために「レンチキュラーレンズ」を使用する。この第２のタイプについては、２つの異なる実際的な実現方法が存在する。
【００１５】
本明細書において「ＲＭレンズ」と呼ばれる第１のレンズでは、レンチキュラーレンズが、異方性ポリマー液晶レンズを形成する配向反応性メソゲンまたは反応性メソゲンの混合物の重合により実現される。しかしながら、この技術では、光学画像のための情報を提供するために、追加の電気光学スイッチング素子、例えば、液晶ディスプレイを使用する必要がある。次に、これは、設計の複雑さを増大させ、製造コストを増大させる。
【００１６】
ＲＭレンズが２Ｄ画像を３Ｄ画像にまたはその逆に変換するのに使用される場合、３Ｄレンズを取り付けるために、典型的には、ＵＶ照射を使用して、これらの３Ｄレンズを、偏光を切り替えるパネルに光学的に結合させる追加のプロセスが必要となる。このため、使用されるＬＣ媒体のＵＶ安定性は、多くの用途において非常に重要である。偏光を切り替えるパネルは、結合されたＲＭレンズと共に、典型的には、画像生成パネルに直接取り付けられる。同パネルは、好ましくはＬＣＤである。
【００１７】
本明細書において「ＬＣレンズ」と呼ばれる第２のレンズでは、レンチキュラーレンズが、電気的にアドレスされ、その光学状態を変更し、２つの観察チャネルに必要な光学情報を直接表示するのに使用される液晶媒体を使用して作製される。このようなＬＣレンズは、典型的には、画像生成パネルに直接結合される。
【００１８】
Δｎは、切り替え可能な３Ｄ  ＬＣレンズのためのＬＣ混合物の重要なパラメータである。なぜならば、Δｎは、３Ｄ画像の品質（深度）に主に影響を及ぼし、必要なセルギャップを決定するためである。Δｎが大きくなるにつれて、その３Ｄ深度はより大きくなり、使用されるセルギャップは、より小さくなり得る。このように小さくなったセルギャップは、特に、数十マイクロメートルの比較的大きいセルギャップについて、駆動電圧を低下させることと、配向電力を改善することとの双方に役立つ。総じて、タイプおよび用途に応じて、０．１５〜０．４の範囲のΔｎ値が必要である。
【００１９】
再度、「ＬＣレンズ」タイプについても、２つの可能性のある実施形態が存在する。本明細書において「ポリマーモールド」タイプと呼ばれる第１のタイプでは、液晶材料は、ポリマー材料のモールドに埋め込まれる。このポリマー材料は、光学的に等方性であっても異方性であってもよく、典型的には、基板の一方側に配置される。ポリマー材料は、実現されるレンチキュラーレンズの逆形状にある液晶材料のための空間を提供するように構造化される。典型的には、ポリマー材料は、逆レンチキュラーレンズのトラフを形成する。
【００２０】
第２の実施形態では、「電気的に誘起された複屈折」（略してＥＩＢ）として知られる効果が利用される。ここでは、液晶材料は、一対の基板の間に挟まれ、それらのうちの１つは、電極により覆われる。同電極は、「面内スイッチング」（ＩＰＳ）ディスプレイまたは「フリンジ電界スイッチング」（ＦＦＳ）のように、デバイスの平面内に電界を生成する交流電圧を提供することができる。
【００２１】
３Ｄディスプレイを実際に実現するためには、駆動技術および製造プロセスに関する幾つかの困難を克服しなければならない。特に、要求の厳しい仕様を満たす改善された液晶材料を提供しなければならない。本明細書において、切り替え可能な３Ｄ  ＬＣレンズのための改善された性能を有する液晶媒体が提案される。
【００２２】
プラスチックモールドタイプでは、ＬＣ材料がモールド内に埋め込まれる。このタイプのＬＣレンズには、典型的には、０．２〜０．４のオーダーの比較的高い値のΔｎ値が必要である。さらに、９以上または好ましくはさらに４０以上の比較的高い値の誘電率（Δε）が、典型的には、各セルギャップの比較的厚い厚さにより生じる動作電圧を低下させるのに必要である。また、適切に高い回転粘度（γ１）のみが必要である。
【００２３】
ＥＩＢタイプでは、ＬＣ分子の配向は、印加電圧により直接制御される。このため、極端に高い値のΔｎは必要ではない。典型的には、Δｎの値は、０．１５〜０．２５の範囲にあることが望ましい。また、大きなセルギャップも必要ではない。このため、このタイプのＬＣレンズでは、最大５のΔεのやや高い正の値でも十分である。しかしながら、特に、複数の観察点を有する装置について、速い応答時間（τ）を達成するためには、低い値のγ１が必要である。
【００２４】
本発明のさらに別の態様は、シリコン基板上の液晶（ＬＣｏＳ）パネルまたはＬＣｏＳ空間光変調器（ＳＬＭ）での使用に適した液晶媒体を提供することである。
【００２５】
製造プロセスにおいて、典型的には、ＵＶ照射が適用されるため、使用されるＬＣ媒体のＵＶ安定性は、多くの用途において非常に重要である。
【００２６】
現在知られているＬＣ組成物は、本明細書において想定される使用について、重大な欠点を抱えている。他の欠点のほかにも、それらのほとんどは、不都合なことに、光学応答の変調性が低く、応答が遅く、またはアドレサビリティーが不十分となり、高い動作電圧が必要となるかまたは安定性が不十分となり、特にＵＶ照射に対する安定性が不十分となる。
【００２７】
このため、改善された特性を有する新規な液晶媒体が必要である。特に、光応答の変調、応答時間、動作電圧および安定性を改善する必要がある。
【００２８】
加えて、液晶媒体の低温挙動の改善が求められている。本明細書において、動作特性および有効期間の双方の改善が必要である。
【００２９】
このため、対応する実際的な用途に適した特性を有する液晶媒体に対する相当な需要がある。特に、本発明の目的は、改善された特性を有する用途を可能にするＬＣレンズに適した特性を有する新規な材料を提供することである。
【００３０】
本発明は、液晶媒体を含む液晶レンズであって、前記液晶媒体は、
ａ）式Ｉ
【化１】
2020021065.tif 000002
［式中、
Ｒ１１およびＲ１２は、同一であるかまたは異なって、Ｈ、１〜１２個のＣ原子を有するアルキルもしくはアルコキシまたは２〜１２個のＣ原子を有するアルケニル、アルケニルオキシもしくはアルコキシアルキルを指し、ここで、１つ以上のＣＨ２基は、
【化２】
2020021065.tif 000003
により置き換えられていてもよく、ここで、１つ以上のＨ原子は、フッ素により置き換えられていてもよく、
Ｌ１１、Ｌ１２、Ｌ１３は、互いに独立して、Ｈ、ＣｌまたはＦを指し、
【化３】
2020021065.tif 000004
は、
【化４】
2020021065.tif 000005
を指し、
【化５】
2020021065.tif 000006
は、
【化６】
2020021065.tif 000007
を指し、
Ｚ１は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−、−ＣＨ＝ＣＨＣＨ２Ｏ−を指し、
ｎは、０または１である］
で示される１つ以上の化合物と、
ｂ）式ＩＩ
【化７】
2020021065.tif 000008
［式中、
Ｒ２は、上記Ｒ１１の意味を有し、
Ｘ２は、Ｆ、Ｃｌ、ＣＦ３、ＯＣＦ３、ＣＮまたはＮＣＳを指し、
Ｚ２は、Ｃ＝ＯまたはＣＦ２、好ましくはＣ＝Ｏを指し、
Ｌ２１、Ｌ２２およびＬ２３は、同一であるかまたは異なって、ＨまたはＦを指し、
Ｌ２は、Ｈまたは１〜６個のＣ原子を有するアルキル、好ましくはＨまたはメチル、特に好ましくはＨを指し、
【化８】
2020021065.tif 000009
は、
【化９】
2020021065.tif 000010
を指し、
【化１０】
2020021065.tif 000011
は、
【化１１】
2020021065.tif 000012
を指し、
【化１２】
2020021065.tif 000013
が、
【化１３】
2020021065.tif 000014
を表す場合、
【化１４】
2020021065.tif 000015
は、代替的に、
【化１５】
2020021065.tif 000016
を指し、
ｍおよびｎは、互いに独立して、０または１である］
で示される１つ以上の化合物とを含有する、液晶レンズに関する。
【００３１】
本発明による媒体は、高い澄明点、適切に高い複屈折、適切な誘電異方性、温度およびＵＶ負荷に対する電圧保持比の高い安定性により区別される。
【００３２】
高い澄明点により、本発明による媒体は、モバイル用途に特に適している。
【００３３】
本発明による媒体は、異常屈折率（ｎｅ）が驚異的に高いことにより区別される。これによって、２Ｄ画像の明瞭度が改善された、特に２Ｄ／３Ｄの切り替えが可能なディスプレイのための切り替え可能なレンズが可能となる。
【００３４】
さらに、従来技術からの３Ｄ用途のための媒体と比較して、本発明による媒体の誘電異方性が低いことによって、驚くべきことに、複屈折を十分に高く保持しつつ、クロストークが低減された切り替え可能なレンズアレイが可能となる。
【００３５】
さらに本発明は、上記および下記のＬＣ媒体に関する。
【００３６】
さらに本発明は、例えば、ＴＮディスプレイ、ＳＴＮディスプレイ、ＰＤＬＣディスプレイ、位相変調器、カメラ、携帯電話カメラ、３Ｄ  ＬＣＤシャッターガラス、３Ｄディスプレイ、ＬＣレンズ、ホログラフィック投影システム、ＬＣｏＳ空間光変調器またはマイクロ波範囲で動作可能な高周波技術用コンポーネントといった高い複屈折を必要とする種々の用途における、本発明によるＬＣレンズの使用に関する。
【００３７】
本発明によるＬＣレンズの好ましい実施形態は、以下に説明されるように、その中に含まれる好ましいＬＣ媒体により特徴付けられる。
【００３８】
式Ｉで示される化合物は、好ましくは式Ｉ−１〜Ｉ−３で示される化合物の群から選択され、特に好ましくは式Ｉ−３から選択される
【化１６】
2020021065.tif 000017
［式中、
出現する基は、式Ｉならびに式Ｉ−１およびＩ−２において上記で与えられたそれぞれの意味を有し、
好ましくは
Ｒ１１は、７個までのＣ原子を有するｎ−アルキルまたはアルケニル、最も好ましくは１〜５個のＣ原子を有するｎ−アルキルであり、
Ｒ１２は、１〜６個のＣ原子を有するｎ−アルコキシまたはアルケニルオキシ、最も好ましくは１〜４個のＣ原子を有するｎ−アルコキシであり、
式Ｉ−３において、好ましくは
Ｒ１１は、７個までのＣ原子を有するｎ−アルキルまたはアルケニル、最も好ましくは１〜５個のＣ原子を有するｎ−アルキルであり、
Ｒ１２は、７個までのＣ原子を有するｎ−アルキルまたはアルケニル、最も好ましくは５個までのＣ原子を有するｎ−アルキルである］。
【００３９】
本発明による液晶媒体は、好ましくは式Ｉ−１で示される１つ以上の化合物、好ましくは式Ｉ−１ａ〜Ｉ−１ｄ、好ましくは式Ｉ−１ａおよび／またはＩ−１ｄ、最も好ましくは式Ｉ−１ａで示される化合物の群から選択される化合物を含む
【化１７】
2020021065.tif 000018
［式中、出現する基は、上記で与えられた意味を有する］。
【００４０】
本発明による液晶媒体は、好ましくは式Ｉ−２で示される１つ以上の化合物、好ましくは式Ｉ−２ａ〜Ｉ−２ｆで示される化合物、好ましくは式Ｉ−２ａおよび／またはＩ−２ｄで示される化合物、最も好ましくは式Ｉ−２ａで示される化合物の群から選択される化合物を含む
【化１８】
2020021065.tif 000019
［式中、出現する基は、上記で与えられたそれぞれの意味を有する］。
【００４１】
本発明による液晶媒体は、好ましくは式Ｉ−３で示される１つ以上の化合物、好ましくは式Ｉ−３ａ〜式Ｉ−３ｄで示される化合物、好ましくは式Ｉ−３ｃおよび／またはＩ−３ｃおよび／またはＩ−３ｄで示される化合物、最も好ましくは式Ｉ−３ｄで示される化合物の群から選択される化合物を含む
【化１９】
2020021065.tif 000020
［式中、出現する基は、上記で与えられたそれぞれの意味を有する］。
【００４２】
非常に好ましくは媒体は、式Ｉ−３ｄで示される１つ以上の化合物を含む。
【００４３】
式ＩＩで示される化合物は、好ましくは部分式ＩＩＺおよびＩＩＱ、好ましくはＩＩＺ：
【化２０】
2020021065.tif 000021
［式中、
出現する基およびパラメータは、式Ｉにおいて上記で与えられたそれぞれの意味を有し、
好ましくは
式ＩＩＺにおいて、
Ｘ２は、ＣＮ、ＮＣＳまたはＯＣＦ３、最も好ましくはＣＮを指し、
式ＩＩＱにおいて、
Ｘ２は、Ｆ、ＣｌまたはＯＣＦ３、最も好ましくはＦを指し、
Ｌ２４およびＬ２５は、同一であるかまたは異なって、ＨまたはＦを表す］
で示される化合物から選択される。
【００４４】
本出願によるメソゲン媒体は、好ましくは式ＩＩＺ−１〜ＩＩＺ−３で示される化合物の群から選択される式ＩＩＺで示される１つ以上の化合物、好ましくは式ＩＩＺ−１で示される１つ以上の化合物と、式ＩＩＺ−２およびＩＩＺ−３で示される化合物の群から選択される１つ以上の化合物を含み、式ＩＩＺ−１、ＩＩＺ−２およびＩＩＺ−３でそれぞれ示される１つ以上の化合物を含む
【化２１】
2020021065.tif 000022
［式中、
パラメータは、式ＩＩＺにおいて上記で与えられた意味を有し、
好ましくは
Ｒ１は、ｎ−アルキルまたはアルケニルであり、
式ＩＩＺ−１およびＩＩＺ−３において、最も好ましくはｎ−アルキルであり、
式ＩＩＺ−２において、最も好ましくはアルケニルであり、
Ｘ１は、ＣＮ、ＣｌまたはＣＦ３、最も好ましくはＣＮである］。
【００４５】
好ましい実施形態では、本発明によるメソゲン媒体は、式ＩＩで示される１つ以上の化合物、好ましくは式ＩＩＱ−１〜ＩＩＱ−３で示される化合物の群から選択され、好ましくは式ＩＩＱ−１およびＩＩＱ−２から選択され、より好ましくは式ＩＩＱ−１および式ＩＩＱ−２それぞれで示される１つ以上の化合物から選択される化合物を含む
【化２２】
2020021065.tif 000023
［式中、
出現する基は、式ＩＩＱにおいて上記で与えられたそれぞれの意味を有し、
好ましくは
Ｒ２は、ｎ−アルキルまたはアルケニル、最も好ましくはｎ−アルキルであり、
Ｘ１は、Ｆ、ＣｌまたはＣＦ３、最も好ましくはＦである］。
【００４６】
好ましくは本発明による媒体は、式ＩＩＩおよびＩＶ
【化２３】
2020021065.tif 000024
［式中、
Ｒ３１、Ｒ３２、Ｒ４１およびＲ４２は、互いに独立して、アルキル（同アルキルは、直鎖または分岐鎖であり、好ましくは１〜２０個のＣ原子を有し、置換されていないか、Ｆ、ＣｌまたはＣＮ、好ましくはＦにより一置換または多置換されており、ここで、１つ以上のＣＨ２基は、各出現において、互いに独立して、−Ｏ−、−Ｓ−、−ＣＯ−、−ＣＯＯ−、−ＯＣＯ−、−ＯＣＯ−Ｏ−、−Ｓ−ＣＯ−、−ＣＯ−Ｓ−、―ＣＨ＝ＣＨ−または−Ｃ≡Ｃ−により、Ｏ原子および／またはＳ原子が互いに直接結合していないような様式で、場合により置き換えられている）、好ましくは１〜９個のＣ原子、より好ましくは２〜５個のＣ原子を有するｎ−アルキルもしくはｎ−アルコキシ；または２〜９個のＣ原子、より好ましくは２〜５個のＣ原子を有するアルケニル、アルケニルオキシもしくはアルコキシアルキルまたは好ましくは９個までのＣ原子を有するハロゲン化アルキル、ハロゲン化アルケニルもしくはハロゲン化アルコキシ、好ましくは（好ましくは９個までのＣ原子を有する）一フッ化、二フッ化もしくはオリゴフッ化アルキル、アルケニルもしくはアルコキシ、
最も好ましくは（好ましくは９個までのＣ原子を有する）ｎ−アルキル、ｎ−アルコキシ、アルケニル、アルケニルオキシまたはアルコキシアルキルであり、
【化２４】
2020021065.tif 000025
は、互いに独立して、
【化２５】
2020021065.tif 000026
を指し、
Ｚ３１およびＺ３２は、各出現において、同一であるかまたは異なって、−ＣＨ２ＣＨ２−、−ＣＦ２ＣＦ２−、−ＣＦ２ＣＨ２−、−ＣＯＯ−、ｔｒａｎｓ−−ＣＨ＝ＣＨ−、ｔｒａｎｓ−−ＣＦ＝ＣＦ−、−ＣＨ２Ｏ−、−ＣＦ２Ｏ−、−Ｃ≡Ｃ−または単結合を指し、好ましくは少なくとも一方は、単結合を指し、
ｐは、０または１である］
の群から選択される１つ以上の化合物を含む。
【００４７】
好ましくは本発明による液晶媒体は、式ＩＩＩで示される１つ以上の化合物、好ましくは式ＩＩＩ−１〜ＩＩＩ−３
【化２６】
2020021065.tif 000027
［式中、
出現する基は、上記で与えられたそれぞれの意味を有し、
好ましくは
Ｚ３１、Ｚ３２は、同一であるかまたは異なって、−ＣＨ２Ｏ−、−Ｃ（Ｏ）Ｏ−または単結合を指し、
Ｒ３１は、それぞれ１〜９個のＣ原子を有する非フッ化アルキルもしくは非フッ化アルコキシまたはそれぞれ２〜９個のＣ原子を有する非フッ化アルケニル、非フッ化アルケニルオキシもしくは非フッ化アルコキシアルキル、好ましくは１〜５個のＣ原子を有するアルキル、特に好ましくはｎ−アルキルを指し、
Ｒ３２は、Ｈ、それぞれ１〜５個、好ましくは１〜３個、特に好ましくは３個のＣ原子を有する非フッ化アルキルまたは非フッ化アルコキシを指し、
ｐは、０または１であり、
より好ましくは
Ｒ３１は、ＣｎＨ２ｎ＋１またはＣＨ２＝ＣＨ−（ＣＨ２）Ｚを指し、かつ
Ｒ３２は、ＣｍＨ２ｍ＋１またはＯ−ＣｍＨ２ｍ＋１または（ＣＨ２）Ｚ−ＣＨ＝ＣＨ２を指し、
式中、ｎおよびｍは、互いに独立して、０〜２０の範囲、好ましくは１〜９の範囲、特に好ましくは１〜５の整数を指し、ｚは、０、１、２、３または４、好ましくは０または２を表す］
の式で示される化合物の群から選択される化合物を含む。
【００４８】
本明細書において、（Ｒ３１およびＲ３２）の好ましい組み合わせは、特に、（ＣｎＨ２ｎ＋１およびＣｍＨ２ｍ＋１）および（ＣｎＨ２ｎ＋１およびＯ−ＣｍＨ２ｍ＋１）である。
【００４９】
好ましくは本発明による液晶媒体は、式ＩＩＩ−１で示される１つ以上の化合物、好ましくは式ＩＩＩ−１ａ〜ＩＩＩ−１ｃ、好ましくは式ＩＩＩ−１ａおよび／またはＩＩＩ−１ｃ、最も好ましくは式ＩＩＩ−１ａの式で示される化合物の群から選択される化合物を含む
【化２７】
2020021065.tif 000028
［式中、出現する基は、上記で与えられたそれぞれの意味を有する］。
【００５０】
好ましくは本発明による液晶媒体は、式ＩＩＩ−２で示される１つ以上の化合物、好ましくは式ＩＩＩ−２ａ〜ＩＩＩ−２ｄの式で示される化合物の群から選択され、好ましくは式ＩＩＩ−２ａ、ＩＩＩ−２ｂおよびＩＩＩ−２ｄから選択され、最も好ましくは式ＩＩＩ−２ａで示される化合物を含む
【化２８】
2020021065.tif 000029
［式中、
出現する基は、上記で与えられたそれぞれの意味を有し、
好ましくは
Ｒ３１は、それぞれ１〜１５個のＣ原子を有する非フッ化アルキルもしくは非フッ化アルコキシまたはそれぞれ２〜１５個のＣ原子を有する非フッ化アルケニル、非フッ化アルケニルオキシもしくは非フッ化アルコキシアルキル、好ましくはアルキル、特に好ましくはｎ−アルキルを指し、
Ｒ３２は、Ｈ、それぞれ１〜５個、好ましくは１〜３個、特に好ましくは３個のＣ原子を有する非フッ化アルキルまたは非フッ化アルコキシを指し、
より好ましくは
Ｒ３１は、ＣｎＨ２ｎ＋１またはＣＨ２＝ＣＨ−（ＣＨ２）Ｚを指し、
Ｒ３２は、ＣｍＨ２ｍ＋１またはＯ−ＣｍＨ２ｍ＋１または（ＣＨ２）Ｚ−ＣＨ＝ＣＨ２を指し、
式中、ｎおよびｍは、互いに独立して、０〜１５の範囲、好ましくは１〜７の範囲、特に好ましくは１〜５の整数を指し、ｚは、０、１、２、３または４、好ましくは０または２を表す］。
【００５１】
本明細書において、（Ｒ３１およびＲ３２）の好ましい組み合わせは、特に、（ＣｎＨ２ｎ＋１およびＣｍＨ２ｍ＋１）および（ＣｎＨ２ｎ＋１およびＯ−ＣｍＨ２ｍ＋１）である。
【００５２】
好ましくは本発明による液晶媒体は、式ＩＩＩ−３で示される１つ以上の化合物、好ましくは式ＩＩＩ−３ａ〜ＩＩＩ−３ｄ、特に好ましくは式ＩＩＩ−２ａの式で示される化合物の群から選択される化合物を含む
【化２９】
2020021065.tif 000030
［式中、
Ｌ３は、ＨまたはＦ、好ましくはＦを指し、Ｒ３１およびＲ３２は、上記で与えられた意味を有し、
好ましくは
Ｒ３１は、それぞれ１〜１５個のＣ原子を有する非フッ化アルキルもしくは非フッ化アルコキシまたはそれぞれ２〜１５個のＣ原子を有する非フッ化アルケニル、非フッ化アルケニルオキシもしくは非フッ化アルコキシアルキル、好ましくはアルキル、特に好ましくはｎ−アルキルを指し、
Ｒ３２は、Ｈ、それぞれ１〜５個、好ましくは１〜３個、特に好ましくは３個のＣ原子を有する非フッ化アルキルまたは非フッ化アルコキシを指し、
より好ましくは
Ｒ３１は、ＣｎＨ２ｎ＋１またはＣＨ２＝ＣＨ−（ＣＨ２）Ｚを指し、
Ｒ３２は、ＣｍＨ２ｍ＋１またはＯ−ＣｍＨ２ｍ＋１または（ＣＨ２）Ｚ−ＣＨ＝ＣＨ２を指し、
式中、ｎおよびｍは、互いに独立して、０〜１５の範囲、好ましくは１〜７の範囲、特に好ましくは１〜５の整数を指し、ｚは、０、１、２、３または４、好ましくは０または２を表す］。
【００５３】
本発明の好ましい実施形態では、液晶媒体は、式ＩＶで示される１つ以上の化合物、好ましくはＲ４１がｎ−アルキルまたはアルケニル、より好ましくはｎ−アルキル、最も好ましくはＣｎＨ２ｎ＋１であり、Ｒ４２がアルケニル、より好ましくはＣＨ２＝ＣＨ−［ＣＨ２−］Ｚ、ＣＨ３−ＣＨ２＝ＣＨ−［ＣＨ２−］Ｚ、［−ＣＨ２］２−ＣＨ＝ＣＨ２または［−ＣＨ２］２−ＣＨ＝Ｃ−ＣＨ３（式中、ｎが０〜１５の範囲、好ましくは１〜７の範囲、特に好ましくは１〜５の整数であり、ｚが０、１、２、３または４、好ましくは０または２である）である、式ＩＶで示される化合物を含む。
【００５４】
本発明による媒体は、好ましくは式Ｖ
【化３０】
2020021065.tif 000031
［式中、
【化３１】
2020021065.tif 000032
は、
【化３２】
2020021065.tif 000033
、好ましくは
【化３３】
2020021065.tif 000034
であり、
Ｒ５は、互いに独立して、アルキル（同アルキルは、直鎖または分岐鎖であり、好ましくは１〜２０個のＣ原子を有し、置換されていないか、Ｆ、ＣｌまたはＣＮ、好ましくはＦにより一置換または多置換されており、ここで、１つ以上のＣＨ２基は、各場合において、互いに独立して、−Ｏ−、−Ｓ−、−ＣＯ−、−ＣＯＯ−、−ＯＣＯ−、−ＯＣＯ−Ｏ−、−Ｓ−ＣＯ−、−ＣＯ−Ｓ−、―ＣＨ＝ＣＨ−または−Ｃ≡Ｃ−により、Ｏ原子および／またはＳ原子が互いに直接結合していないような様式で、場合により置き換えられている）、好ましくは１〜９個のＣ原子、より好ましくは２〜５個のＣ原子を有するｎ−アルキルもしくはｎ−アルコキシ、２〜９個のＣ原子、より好ましくは２〜５個のＣ原子を有するアルケニル、アルケニルオキシもしくはアルコキシアルキル、または好ましくは９個までのＣ原子を有するハロゲン化アルキル、ハロゲン化アルケニルもしくはハロゲン化アルコキシ、好ましくは（好ましくは９個までのＣ原子を有する）一フッ化、二フッ化もしくはオリゴフッ化アルキル、アルケニルもしくはアルコキシ、
最も好ましくは（好ましくは９個までのＣ原子を有する）ｎ−アルキル、ｎ−アルコキシ、アルケニル、アルケニルオキシまたはアルコキシアルキルであり、
Ｘ５は、ハロゲン、ＣＮ、ＮＣＳ、ＣＦ３またはＯＣＦ３、好ましくはＦまたはＯＣＦ３であり、
Ｙ０１、Ｙ０２、Ｒ０１およびＲ０２は、上記式Ｉにおいて与えられたそれぞれの意味を有し、
ｉは、０または１である］
で示される１つ以上の化合物を含む。
【００５５】
本発明による液晶媒体は、好ましくは式Ｉで示される１つ以上の化合物、好ましくは式Ｉ−１〜Ｉ−３で示される化合物の群から選択され、好ましくは式Ｉ−１およびＩ−２から選択される化合物、より好ましくは式Ｉ−１および式Ｉ−２それぞれの１つ以上の化合物を含む。
【００５６】
本発明による液晶媒体は、式Ｖで示される１つ以上の化合物、好ましくは式Ｖ−１〜Ｖ−３で示される化合物の群から選択され、好ましくは式Ｖ−１およびＩ−３から選択される化合物、より好ましくは式Ｖ−１で示される１つ以上の化合物を含む
【化３４】
2020021065.tif 000035
［式中、
出現する基は、上記で与えられたそれぞれの意味を有し、
好ましくは
Ｒ５は、それぞれ１〜１５個のＣ原子を有する非フッ化アルキルもしくは非フッ化アルコキシまたはそれぞれ２〜１５個のＣ原子を有する非フッ化アルケニル、非フッ化アルケニルオキシもしくは非フッ化アルコキシアルキル、好ましくはアルキル、特に好ましくはｎ−アルキルを指し、
Ｘ５は、Ｆ、ＣＦ３またはＯＣＦ３、Ｈ、好ましくはＯＣＦ３を表す］。
【００５７】
本発明の好ましい実施形態では、媒体は、式ＶＩ
【化３５】
2020021065.tif 000036
［式中、
【化３６】
2020021065.tif 000037
は、
【化３７】
2020021065.tif 000038
を指し、
Ｒ６は、Ｈ、１〜１２個のＣ原子を有するアルキルもしくはアルコキシまたは２〜１２個のＣ原子を有するアルケニル、アルケニルオキシもしくはアルコキシアルキルを指し、ここで、１つ以上のＣＨ２基は、
【化３８】
2020021065.tif 000039
により置き換えられていてもよく、それらの全てにおいて、１つ以上のＨ原子は、フッ素により置き換えられていてもよく、
Ｘ６は、ＣＮ、Ｆ、ＣＦ３またはＯＣＦ３、好ましくはＣＮを指し、
Ｙ６１、Ｙ６２は、Ｈ、ＣｌまたはＦを表す］
で示される１つ以上の化合物を含む。
【００５８】
式ＶＩで示される好ましい化合物は、下記化合物ＶＩ−１〜ＶＩ−８、特に好ましくは式ＶＩ−３である。
【００５９】
【化３９−１】
2020021065.tif 000040
【００６０】
【化３９−２】
2020021065.tif 000041
【００６１】
好ましい実施形態では、本発明による媒体は、式ＶＩＩ、ＶＩＩＩおよびＩＸ
【化４０】
2020021065.tif 000042
［式中、
Ｒ７は、Ｈ、１〜１７個、好ましくは３〜１０個のＣ原子を有する非フッ化アルキルもしくは非フッ化アルコキシまたは２〜１５個、好ましくは３〜１０個のＣ原子を有する非フッ化アルケニル、非フッ化アルケニルオキシもしくは非フッ化アルコキシアルキル（ここで、１つ以上のＣＨ２基は、
【化４１】
2020021065.tif 000043
により置き換えられていてもよい）、好ましくは非フッ化アルキルまたは非フッ化アルケニルを指し、
ｎは、０、１または２であり、
【化４２】
2020021065.tif 000044
は、各出現において、互いに独立して、
【化４３】
2020021065.tif 000045
（式中、ＲＬは、各出現において、同一であるかまたは異なって、Ｈまたは１〜６個のＣ原子を有するアルキル、好ましくはＨ、メチルまたはエチル、特に好ましくはＨを表す）
を指し、
ここで、
【化４４】
2020021065.tif 000046
は、代替的に、
【化４５】
2020021065.tif 000047
好ましくは
【化４６】
2020021065.tif 000048
を指し、
ｎ＝２の場合、
【化４７】
2020021065.tif 000049
のうちの一方は、好ましくは
【化４８】
2020021065.tif 000050
を指し、他方は、好ましくは
【化４９】
2020021065.tif 000051
を指し、
好ましくは
【化５０】
2020021065.tif 000052
は、互いに独立して、
【化５１】
2020021065.tif 000053
を指し、
より好ましくは
【化５２】
2020021065.tif 000054
は、
【化５３】
2020021065.tif 000055
を指し、
【化５４】
2020021065.tif 000056
は、
【化５５】
2020021065.tif 000057
を指し、
【化５６】
2020021065.tif 000058
は、
【化５７】
2020021065.tif 000059
を指し、
Ｒ８は、Ｈ、１〜１７個、好ましくは３〜１０個のＣ原子を有する非フッ化アルキルもしくは非フッ化アルコキシまたは２〜１５個、好ましくは３〜１０個のＣ原子を有する非フッ化アルケニル、非フッ化アルケニルオキシもしくは非フッ化アルコキシアルキル（ここで、１つ以上のＣＨ２基は、
【化５８】
2020021065.tif 000060
により置き換えられていてもよい）、好ましくは非フッ化アルキルまたは非フッ化アルケニルを指し、
Ｚ８１は、ｔｒａｎｓ−ＣＨ＝ＣＨ−、ｔｒａｎｓ−ＣＦ＝ＣＦ−または−Ｃ≡Ｃ−、好ましくは−Ｃ≡Ｃ−またはｔｒａｎｓ−ＣＨ＝ＣＨ−を指し、
【化５９】
2020021065.tif 000061
は、互いに独立して、
【化６０】
2020021065.tif 000062
（式中、ＲＬは、各出現において、同一であるかまたは異なって、Ｈまたは１〜６個のＣ原子を有するアルキル、好ましくはＨ、メチルまたはエチル、特に好ましくはＨを表す）
を指し、
ここで、好ましくは
【化６１】
2020021065.tif 000063
は、互いに独立して、
【化６２】
2020021065.tif 000064
を指し、
【化６３】
2020021065.tif 000065
は、好ましくは
【化６４】
2020021065.tif 000066
を指し、
【化６５】
2020021065.tif 000067
は、好ましくは
【化６６】
2020021065.tif 000068
、より好ましくは
【化６７】
2020021065.tif 000069
を指し、
Ｒ９は、Ｈ、１〜１７個、好ましくは３〜１０個のＣ原子を有する非フッ化アルキルもしくは非フッ化アルコキシまたは２〜１５個、好ましくは３〜１０個のＣ原子を有する非フッ化アルケニル、非フッ化アルケニルオキシもしくは非フッ化アルコキシアルキル（ここで、１つ以上のＣＨ２基は、
【化６８】
2020021065.tif 000070
により置き換えられていてもよい）、好ましくは非フッ化アルキルまたは非フッ化アルケニルを指し、
Ｚ９１およびＺ９２のうちの一方、好ましくはＺ９２は、ｔｒａｎｓ−ＣＨ＝ＣＨ−、ｔｒａｎｓ−ＣＦ＝ＣＦ−または−Ｃ≡Ｃ−を指し、それとは独立して、他方は、−Ｃ≡Ｃ−、ｔｒａｎｓ−ＣＨ＝ＣＨ−、ｔｒａｎｓ−ＣＦ＝ＣＦ−または単結合を指し、好ましくはそれらのうちの一方、好ましくはＺ３２は、−Ｃ≡Ｃ−またはｔｒａｎｓ−ＣＨ＝ＣＨ−を指し、他方は、単結合を指し、
【化６９】
2020021065.tif 000071
は、互いに独立して、
【化７０】
2020021065.tif 000072
（式中、ＲＬは、各出現において、同一であるかまたは異なって、Ｈまたは１〜６個のＣ原子を有するアルキル、好ましくはＨ、メチルまたはエチル、特に好ましくはＨを表す）
を指し、
ここで、
【化７１】
2020021065.tif 000073
は、代替的に、
【化７２】
2020021065.tif 000074
を指し、
好ましくは
【化７３】
2020021065.tif 000075
は、互いに独立して、
【化７４】
2020021065.tif 000076
を指し、
より好ましくは
【化７５】
2020021065.tif 000077
は、
【化７６】
2020021065.tif 000078
を指し、
【化７７】
2020021065.tif 000079
は、
【化７８】
2020021065.tif 000080
、より好ましくは
【化７９】
2020021065.tif 000081
を指し、
【化８０】
2020021065.tif 000082
は、
【化８１】
2020021065.tif 000083
、より好ましくは
【化８２】
2020021065.tif 000084
を表す］
で示される化合物の群から選択される１つ以上の化合物を含む。
【００６２】
式ＶＩＩ、ＶＩＩＩおよびＩＸで示される化合物において、ＲＬは、好ましくはＨを表す。
【００６３】
別の好ましい実施形態では、式ＶＩＩ、ＶＩＩＩおよびＩＸで示される化合物において、１つまたは２つの基ＲＬ、好ましくは１つの基ＲＬは、Ｈとは異なる。
【００６４】
本発明の好ましい実施形態では、式ＶＩＩで示される化合物は、式ＶＩＩ−１〜ＶＩＩ−５
【化８３】
2020021065.tif 000085
［式中、
Ｌ７１、Ｌ７２およびＬ７３は、各出現において、同一であるかまたは異なって、ＨまたはＦを指し、
他の基は、式Ｉについて上記で示されたそれぞれの意味を有し、
好ましくは
Ｒ７は、１〜７個のＣ原子を有する非フッ化アルキルまたは２〜７個のＣ原子を有する非フッ化アルケニルを表す］
で示される化合物の群から選択される。
【００６５】
媒体は、好ましくは式ＶＩＩ−１で示される１つ以上の化合物、好ましくは式ＶＩＩ−１ａ〜ＶＩＩ−１ｆで示される化合物の群から選択される化合物、好ましくは式ＶＩＩ−１ｂまたはＶＩＩ−１ｆで示される化合物を含む
【化８４−１】
2020021065.tif 000086
【００６６】
【化８４−２】
2020021065.tif 000087
［式中、Ｒ７は、式ＶＩＩについて上記で示された意味を有し、好ましくは１〜７個のＣ原子を有する非フッ化アルキルまたは２〜７個のＣ原子を有する非フッ化アルケニルを表す］。
【００６７】
媒体は、好ましくは式ＶＩＩ−２で示される１つ以上の化合物、好ましくは式ＶＩＩ−２ａ〜ＶＩＩ−２ｅで示される化合物の群から選択される化合物、好ましくは式ＶＩＩ−２ｃで示される化合物を含む
【化８５−１】
2020021065.tif 000088
【００６８】
【化８５−２】
2020021065.tif 000089
［式中、Ｒ７は、式ＶＩＩについて上記で示された意味を有し、好ましくは１〜７個のＣ原子を有する非フッ化アルキルまたは２〜７個のＣ原子を有する非フッ化アルケニルを表す］。
【００６９】
媒体は、好ましくは式ＶＩＩ−３で示される１つ以上の化合物、好ましくは式ＶＩＩ−３ａ〜ＶＩＩ−３ｄで示される化合物の群から選択される化合物、特に好ましくは式ＶＩＩ−３ｂで示される化合物を含む
【化８６】
2020021065.tif 000090
［式中、Ｒ７は、式ＶＩＩについて上記で示された意味を有し、好ましくは１〜７個のＣ原子を有する非フッ化アルキルまたは２〜７個のＣ原子を有する非フッ化アルケニルを表す］。
【００７０】
媒体は、好ましくは式ＶＩＩ−４で示される１つ以上の化合物、好ましくは式ＶＩＩ−４ａ〜ＶＩＩ−４ｄで示される化合物の群から選択される化合物、特に好ましくは式ＶＩＩ−４ｂで示される化合物を含む
【化８７】
2020021065.tif 000091
［式中、Ｒ７は、式ＶＩＩについて上記で示された意味を有し、好ましくは１〜７個のＣ原子を有する非フッ化アルキルまたは２〜７個のＣ原子を有する非フッ化アルケニルを表す］。
【００７１】
媒体は、好ましくは式ＶＩＩ−５で示される１つ以上の化合物、好ましくは式ＶＩＩ−５ａ〜ＶＩＩ−５ｄで示される化合物の群から選択される化合物、特に好ましくは式ＶＩＩ−５ｂで示される化合物を含む
【化８８】
2020021065.tif 000092
［式中、Ｒ７は、式ＶＩＩについて上記で示された意味を有し、好ましくは１〜７個のＣ原子を有する非フッ化アルキルまたは２〜７個のＣ原子を有する非フッ化アルケニルを表す］。
【００７２】
媒体は、好ましくは式ＶＩＩＩで示される１つ以上の化合物、好ましくは式ＶＩＩＩ−１〜ＶＩＩＩ−３で示される化合物の群から選択される化合物、好ましくは式ＶＩＩＩ−１およびＶＩＩＩ−２で示される化合物の群から選択される化合物を含む
【化８９】
2020021065.tif 000093
［式中、
パラメータは、上記式ＶＩＩＩにおいて与えられた意味を有し、
好ましくは
Ｒ８は、Ｈ、１〜７個のＣ原子を有する非フッ化アルキルもしくはアルコキシまたは２〜７個のＣ原子を有する非フッ化アルケニルを指し、
【化９０】
2020021065.tif 000094
のうちの一方は、
【化９１】
2020021065.tif 000095
を指し、
他方は、独立して、
【化９２】
2020021065.tif 000096
、好ましくは
【化９３】
2020021065.tif 000097
、最も好ましくは
【化９４】
2020021065.tif 000098
を指し、
好ましくは
Ｒ８は、ＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］。
【００７３】
式ＶＩＩＩ−１で示される化合物は、好ましくは式ＶＩＩＩ−１ａ〜ＶＩＩＩ−１ｅ
【化９５】
2020021065.tif 000099
［式中、
Ｒ８は、上記で示された意味を有し、好ましくはＣｎＨ２ｎ＋１またはＣＨ２＝ＣＨ−（ＣＨ２）Ｚを指し、
ｎは、互いに独立して、０〜１５の範囲、好ましくは１〜７の範囲、特に好ましくは１〜５の整数を指し、
ｚは、０、１、２、３または４、好ましくは０または２を表す］
で示される化合物の群から選択される。
【００７４】
式ＶＩＩＩ−２で示される化合物は、好ましくは式ＶＩＩＩ−２ａおよびＶＩＩＩ−２ｂ：
【化９６】
2020021065.tif 000100
［式中、
Ｒ８は、上記で示された意味を有し、好ましくはＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］
で示される化合物の群から選択される。
【００７５】
式ＶＩＩＩ−３で示される化合物は、好ましくは式ＶＩＩＩ−３ａ〜ＶＩＩＩ−３ｄ：
【化９７】
2020021065.tif 000101
［式中、
Ｒ８は、上記で示された意味を有し、好ましくはＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］
で示される化合物の群から選択される。
【００７６】
式ＩＸで示される化合物は、好ましくは式ＩＸ−１〜ＸＩ−６で示される化合物の群から選択され、より好ましくは式ＩＸ−１、ＩＸ−２、ＩＸ−３およびＩＸ−４、特に好ましくは式ＩＸ−１で示される化合物の群から選択される式の群から選択される
【化９８】
2020021065.tif 000102
［式中、
Ｚ９１およびＺ９２は、互いに独立して、ｔｒａｎｓ−ＣＨ＝ＣＨ−またはｔｒａｎｓ−ＣＦ＝ＣＦ−、好ましくはｔｒａｎｓ−ＣＨ＝ＣＨ−を指し、式ＩＸ−６において、代替的に、Ｚ３１およびＺ３２のうちの一方は、−Ｃ≡Ｃ−を指してもよく、他のパラメータは、式ＩＸにおいて上記で与えられた意味を有し、
好ましくは
Ｒ９は、Ｈ、１〜７個のＣ原子を有する非フッ化アルキルもしくはアルコキシまたは２〜７個のＣ原子を有する非フッ化アルケニルを指し、
【化９９】
2020021065.tif 000103
のうちの１つ、好ましくは
【化１００】
2020021065.tif 000104
は、
【化１０１】
2020021065.tif 000105
、好ましくは
【化１０２】
2020021065.tif 000106
を指し、
他のものは、互いに独立して、
【化１０３】
2020021065.tif 000107
、好ましくは
【化１０４】
2020021065.tif 000108
、より好ましくは
【化１０５】
2020021065.tif 000109
を指し、
好ましくは
Ｒ９は、ＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］。
【００７７】
式ＩＸ−１で示される化合物は、好ましくは式ＩＸ−１ａ〜ＩＸ−１ｅで示される化合物の群から選択され、より好ましくは式ＩＸ−１ａおよびＩＸ−１ｂで示される化合物の群から選択され、特に好ましくは式ＩＸ−１ｂで示される化合物である
【化１０６】
2020021065.tif 000110
［式中、
Ｒ９は、上記で示された意味を有し、好ましくはＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］。
【００７８】
式ＩＸ−２で示される化合物は、好ましくは式ＩＸ−２ａ：
【化１０７】
2020021065.tif 000111
［式中、
Ｒ９は、上記で示された意味を有し、好ましくはＣｎＨ２ｎ＋１またはＣＨ２＝ＣＨ−（ＣＨ２）Ｚを指し、
ｎは、０〜１５の範囲、好ましくは１〜７の範囲、特に好ましくは１〜５の整数を指し、
ｚは、０、１、２、３または４、好ましくは０または２を表す］
で示される化合物である。
【００７９】
式ＩＸ−５で示される化合物は、好ましくは式ＩＸ−５ａ：
【化１０８】
2020021065.tif 000112
［Ｒ９は、式ＩＸ−５について上記で示された意味を有し、好ましくはＣｎＨ２ｎ＋１を指し、式中、ｎは、０〜７の範囲、好ましくは１〜５の範囲の整数を表す］
で示される化合物から選択される。
【００８０】
好ましくは本発明による媒体は、式ＳＴ−１〜ＳＴ−１８
【化１０９−１】
2020021065.tif 000113
【００８１】
【化１０９−２】
2020021065.tif 000114
【００８２】
【化１０９−３】
2020021065.tif 000115
【００８３】
【化１０９−４】
2020021065.tif 000116
［式中、
ＲＳＴは、Ｈ、１〜１５個のＣ原子を有するアルキルまたはアルコキシ基であり、この場合、さらに、これらの基における１つ以上のＣＨ２基は、互いに独立して、−Ｃ≡Ｃ−、−ＣＦ２Ｏ−、−ＯＣＦ２−、−ＣＨ＝ＣＨ−、
【化１１０】
2020021065.tif 000117
−Ｏ−、−ＣＯ−Ｏ−、−Ｏ−ＣＯ−により、Ｏ原子が互いに直接結合していないような様式で、置き換えられていてもよく、ここで、さらに、１つ以上のＨ原子は、ハロゲンにより置き換えられていてもよく、
【化１１１】
2020021065.tif 000118
は、
【化１１２−１】
2020021065.tif 000119
【００８４】
【化１１２−２】
2020021065.tif 000120
【００８５】
【化１１２−３】
2020021065.tif 000121
を指し、
ＺＳＴは、互いに独立して、−ＣＯ−Ｏ−、−Ｏ−ＣＯ−、−ＣＦ２Ｏ−、−ＯＣＦ２−、−ＣＨ２Ｏ−、−ＯＣＨ２−、−ＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ≡Ｃ−または単結合を指し、
Ｌ１およびＬ２は、互いに独立して、Ｆ、Ｃｌ、ＣＦ３またはＣＨＦ２を指し、
ｐは、１または２を指し、
ｑは、１、２、３、４、５、６、７、８、９または１０を表す］
で示される化合物の群から選択される安定剤を含む。
【００８６】
式ＳＴで示される化合物のうち、下記式で示される化合物が特に好ましい。
【００８７】
【化１１３−１】
2020021065.tif 000122
【００８８】
【化１１３−２】
2020021065.tif 000123
【００８９】
【化１１３−３】
2020021065.tif 000124
【００９０】
式ＳＴ−３ａおよびＳＴ−３ｂで示される化合物において、ｎは、好ましくは３を表す。
【００９１】
式ＳＴ−２ａで示される化合物において、ｎは、好ましくは７を表す。
【００９２】
本発明による特に非常に好ましい混合物は、式ＳＴ−２ａ−１、ＳＴ−３ａ−１、ＳＴ−３ｂ−１、ＳＴ−８−１、ＳＴ−９−１およびＳＴ−１２
【化１１４−１】
2020021065.tif 000125
【００９３】
【化１１４−２】
2020021065.tif 000126
で示される化合物の群からの１つ以上の安定剤を含む。
【００９４】
式ＳＴ−１〜ＳＴ−１８で示される化合物はそれぞれ、好ましくは本発明による液晶混合物中に、該混合物に対して０．００５〜０．５％の量で存在する。
【００９５】
本発明による混合物が式ＳＴ−１〜ＳＴ−１８で示される化合物の群からの２つ以上の化合物を含む場合、濃度は、それに対応して、化合物が２つである場合には、該混合物に対して０．０１〜１％に増加する。
【００９６】
ただし、式ＳＴ−１〜ＳＴ−１８で示される化合物の総割合は、本発明による混合物に対して２％を超えるべきではない。
【００９７】
上記で明示的に言及されていない他のメソゲン化合物も、任意選択的かつ有利に、本発明による媒体に使用することができる。このような化合物は、当業者に公知である。
【００９８】
本発明の好ましい実施形態では、液晶媒体は、式Ｉ−１およびＩＩ−３で示される１つ以上の化合物を含む。
【００９９】
本発明による液晶媒体は、好ましくは９０℃以上、より好ましくは９５℃以上、特に好ましくは１００℃以上の澄明点を有する。
【０１００】
本発明による媒体のネマチック相は、好ましくは０℃以下まで、より好ましくは−１０℃以下まで、さらにより好ましくは−２０℃以下まで、最も好ましくは−３０℃以下までの下限温度まで達する。同時に、このネマチック相は、好ましくは９０℃以上まで、好ましくは９５℃以上まで、より好ましくは１００℃以上まで、特に、１１０℃以上までの上限温度まで達する。
【０１０１】
好ましくは本発明による液晶媒体の誘電異方性（Δε）は、１ｋＨｚおよび２０℃において、３〜２０、好ましくは５〜１５、特に好ましくは６〜１２の範囲にある。
【０１０２】
本発明による液晶媒体のΔｎは、５８９．３ｎｍ（ＮａＤ）および２０℃において、好ましくは０．２００以上、より好ましくは０．２４０以上である。
【０１０３】
５８９．３ｎｍ（ＮａＤ）および２０℃における本発明による液晶媒体のΔｎは、好ましくは０．２００〜０．４００、より好ましくは０．２３０〜０．３００、特に好ましくは０．２４０〜０．２８０の範囲にある。
【０１０４】
好ましくは本発明による液晶媒体は、
−  式Ｉで示される１つ以上の化合物を、２０％〜８０％、好ましくは３０％〜７０％、特に好ましくは４０％〜６０％の範囲の全濃度で、
−  式Ｉ−１で示される１つ以上の化合物を、５％〜２５％、好ましくは１０％〜２０％、特に好ましくは１２％〜１８％の範囲の全濃度で、
−  式Ｉ−２で示される１つ以上の化合物を、１％〜１０％、好ましくは２％〜１５％、特に好ましくは３％〜７％の範囲の全濃度で、
−  式Ｉ−３で示される１つ以上の化合物を、１５％〜６０％、好ましくは２０％〜５０％、特に好ましくは２５％〜４５％の範囲の全濃度で、
−  式Ｉで示される１つ以上の化合物を、４０％以上、好ましくは４４％以上、特に好ましくは５５％以上の全濃度で、
−  式Ｉ−１およびＩ−２およびＩ−３で示される１つ以上の化合物、
−  式ＩＩＩ−３で示される１つ以上の化合物を、１％〜１０％、好ましくは２％〜８％の範囲の全濃度で、
−  式ＶＩで示される１つ以上の化合物を、１％〜１０％、好ましくは２％〜７％の範囲の全濃度で、
−  式ＶＩで示される１つ以上の化合物を、２０％以下、好ましくは１０％以下の全濃度で、
−  式ＩＩ、好ましくはＩＩＺで示される１つ以上の化合物を、５％〜５０％、好ましくは１０％〜４０％の範囲の全濃度で、
−  式ＩＩ、好ましくはＩＩＺで示される１つ以上の化合物および式ＶＩで示される１つ以上の化合物を、１０％〜３０％、好ましくは１２％〜２０％の範囲の全濃度で、
含む。
【０１０５】
上記で使用された頭字語は、表Ａ〜Ｃに従って作成され、表Ｄに説明されている。
【０１０６】
本明細書において、誘電的に正であるという表現は、Δε＞３．０の化合物または成分を示し、誘電的に中性であることは、−１．５≦Δε≦３．０の化合物または成分を示し、誘電的に負であることは、Δε＜−１．５の化合物または成分を示す。Δεは、周波数１ｋＨｚおよび２０℃において決定される。各化合物の誘電異方性は、ネマチックホスト混合物中の各個々の化合物の１０％溶液の結果から決定される。ホスト混合物中の各化合物の溶解度が１０％未満である場合、濃度を５％に下げる。試験混合物の静電容量は、ホメオトロピック配向を有するセルおよび均一配向を有するセルの双方において決定される。両タイプのセルのセル厚は、約２０μｍである。印加される電圧は、周波数１ｋＨｚおよび典型的には、０．５Ｖ〜１．０Ｖの実効値を有する矩形波であるが、常に、各試験混合物の容量閾値を下回るように選択される。
【０１０７】
本明細書において、下記定義が適用される
Δε≡（ε｜｜−ε⊥）および
ε平均≡（ε｜｜＋２ε⊥）／３。
【０１０８】
誘電的に正の化合物に使用されるホスト混合物は、混合物ＺＬＩ−４７９２であり、誘電的に中性の化合物および誘電的に負の化合物に使用されるホスト混合物は、混合物ＺＬＩ−３０８６であり、両混合物は、Ｍｅｒｃｋ  ＫＧａＡ（独国）製である。化合物の誘電率の絶対値は、目的の化合物の添加時のホスト混合物の各値の変化から決定される。値は、目的の化合物の１００％濃度に外挿される。
【０１０９】
２０℃の測定温度でネマチック相を有する成分は、そのまま測定される。他は全て、化合物と同様に処理される。
【０１１０】
本明細書において、「閾値電圧」という表現は、光学閾値を指し、１０％相対コントラスト（Ｖ１０）について示され、「中間グレー電圧」は、５０％相対コントラスト（Ｖ５０）についての電圧であり、「飽和電圧」という表現は、光学飽和を指し、全ての場合において特に断らない限り、９０％相対コントラスト（Ｖ９０）について示される。全ての特性電圧は、垂直観察について決定される。フリードリッヒ閾値（ＶＦｒ）とも呼ばれる容量閾値電圧（Ｖ０）は、明示的に言及された場合にのみ使用される。
【０１１１】
本明細書において、特に断らない限り、下記条件および定義が適用される。全ての濃度は、重量％で示され、各混合物全体に関連する。全ての温度は、摂氏で示される。全ての温度差は、微分度で示される。全ての物理的特性は、「Merck liquid Crystals, Physical Properties of liquid Crystals」,Status Nov. 1997, Merck KGaA, Germanyに従って決定され、特に断らない限り、２０℃の温度について示される。光学異方性（Δｎ）は、波長５８９．３ｎｍで決定される。誘電異方性（Δε）は、周波数１ｋＨｚで決定される。閾値電圧および他の全ての電気光学特性は、Ｍｅｒｃｋ  ＫＧａＡ（独国）製の試験セルを使用して決定される。Δεを決定するための試験セルは、約２０μｍのセル厚を有する。電極は、面積１．１３ｃｍ２を有する円形ＩＴＯ電極とガードリングである。配向層は、ホメオトロピック配向（ε｜｜）については、日産化学(株)（日本国）製のＳＥ−１２１１であり、均一配向（ε⊥）については、日本合成ゴム(株)（日本国）製のポリイミドＡＬ−１０５４である。静電容量は、０．３Ｖｒｍｓの電圧を有する正弦波を使用するＳｏｌａｔｒｏｎ  １２６０周波数応答分析器を使用して決定される。
【０１１２】
電気光学測定に使用される光は、白色光である。本明細書では、Ａｕｔｒｏｎｉｃ−Ｍｅｌｃｈｅｒｓ（独国）から市販されているＤＭＳ機器を使用するセットアップが使用される。特性電圧が、垂直観察下で決定された。閾値（Ｖ１０）、中間グレー（Ｖ５０）および飽和（Ｖ９０）電圧はそれぞれ、１０％、５０％および９０％の相対コントラストについて決定された。
【０１１３】
本明細書において、「化合物」という用語は、特に断らない限り、１つの化合物および複数の化合物の双方を意味するものとする。
【０１１４】
本発明による液晶媒体は、好ましくは各場合において、少なくとも−２０℃〜８０℃、好ましくは−３０℃〜１００℃、特に非常に好ましくは−４０℃〜１３０℃のネマチック相を有する。本明細書において、この表現は、ネマチック相が、一方では、スメクチック相および結晶化が対応する温度での低温において観察されず、他方では、ネマチック相からの加熱で澄明化が起こらないことを意味する。低温での調査を、対応する温度での流動粘度計において行い、層厚５μｍを有する試験セル中で少なくとも１００時間保存することによりチェックする。高温では、澄明点を従来の方法により毛管において測定する。
【０１１５】
液晶媒体の澄明点（Ｔ（Ｎ，Ｉ））は、好ましくは９０℃以上、より好ましくは９５℃以上、特に好ましくは１００℃以上である。
【０１１６】
また、本発明による液晶媒体は、適切な回転粘度（γ１）も特徴とする。回転粘度は、好ましくは３５０ｍＰａ・ｓ以下、より好ましくは３００ｍＰａ・ｓ以下、さらにより好ましくは２８０ｍＰａ・ｓ以下、最も好ましくは２５０ｍＰａ・ｓ以下である。好ましくは媒体の回転粘度は、可能な限り低い。ただし、可能性のある実際的な下限は、１００ｍＰａ・ｓ以上またはさらには、１５０ｍＰａ・ｓ以上であることができる。
【０１１７】
「アルキル」という用語は、好ましくは直鎖および分岐鎖アルキル基ならびにシクロアルキル基（それぞれ１〜１５個の炭素原子を有する）、特に、直鎖基であるメチル、エチル、プロピル、ブチル、ペンチル、ヘキシルおよびヘプチルならびにシクロプロピルおよびシクロヘキシルを包含する。一般的には、２〜１０個の炭素原子を有する基が好ましい。
【０１１８】
「アルケニル」という用語は、好ましくは２〜１５個の炭素原子を有する直鎖および分岐鎖アルケニル基、特に、直鎖基を包含する。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特に、Ｃ２〜Ｃ７−１Ｅ−アルケニル、Ｃ４〜Ｃ７−３Ｅ−アルケニルおよびＣ５〜Ｃ７−４−アルケニルである。さらに好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニル等である。総じて、５個までの炭素原子を有する基が好ましい。
【０１１９】
「フルオロアルキル」という用語は、好ましくは末端フッ素を有する直鎖基、すなわち、フルオロメチル、２−フルオロエチル、３−フルオロプロピル、４−フルオロブチル、５−フルオロペンチル、６−フルオロヘキシルおよび７−フルオロヘプチルを包含する。ただし、他の位置のフッ素は除外されない。
【０１２０】
「オキサアルキル」または「アルコキシアルキル」という用語は、好ましくは式ＣｎＨ２ｎ＋１−Ｏ−（ＣＨ２）ｍ（式中、ｎおよびｍは、互いに独立して、１〜１０の整数を示す。好ましくは本明細書において、ｎは、１であり、ｍは、１〜６である）で示される直鎖基を包含する。
【０１２１】
ビニル末端基を含有する化合物およびメチル末端基を含有する化合物は、低い回転粘度を有する。
【０１２２】
本発明による液晶媒体は、さらなる添加剤およびキラルドーパントを、通常濃度で含んでもよい。これらのさらなる成分の全濃度は、混合物全体に対して、０％〜１０％、好ましくは０．１％〜６％の範囲にある。使用される個々の化合物の濃度はそれぞれ、好ましくは０．１％〜３％の範囲にある。本発明による液晶媒体の液晶成分および液晶化合物の値および濃度範囲を示す場合、これらおよび同様の添加剤の濃度は考慮されない。
【０１２３】
本発明による液晶媒体は、複数の化合物、好ましくは３〜３０種類、より好ましくは４〜２０種類、非常に好ましくは４〜１５種類の化合物からなる。これらの化合物は、従来の様式で混合される。一般的には、より少ない量で使用される所望量の化合物が、より多い量で使用される化合物に溶解される。温度が、より高い濃度で使用される化合物の澄明点を上回る場合、溶解プロセスの完了を観察することは特に容易である。ただし、他の従来の方法で、例えば、いわゆる、プレミックス（例えば、化合物の均一または共晶混合物であり得る）またはいわゆる、「マルチボトル」システムを使用して、媒体を製造することも可能であり、その成分自体は、すぐに使用できる混合物である。
【０１２４】
全ての温度、例えば、融点Ｔ（Ｃ，Ｎ）またはＴ（Ｃ，Ｓ）、スメクチック（Ｓ）からネマチック（Ｎ）相への転移Ｔ（Ｓ，Ｎ）および液晶の澄明点Ｔ（Ｎ，Ｉ）は、摂氏で示される。全ての温度差は、示差度で示される。
【０１２５】
本発明、特に、下記実施例において、メソゲン化合物の構造を、頭字語とも呼ばれる略語により示す。これらの頭字語において、化学式を、以下の表Ａ〜Ｃを使用して、以下のように省略する。全ての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、ｎ、ｍおよびｌ個のＣ原子をそれぞれ有する直鎖アルキルまたはアルケニル、好ましくは１Ｅ−アルケニルを示す。式中、ｎ、ｍおよびｌは、互いに独立して、１〜９、好ましくは１〜７または２〜９、好ましくは２〜７の整数を示す。ＣｏＨ２ｏ＋１は、１〜７個、好ましくは１〜４個のＣ原子を有する直鎖アルキルまたは１〜７個、好ましくは１〜４個のＣ原子を有する分岐鎖アルキルを示す。
【０１２６】
表Ａに、化合物のコア構造の環要素に使用されるコードを列挙し、一方、表Ｃに、連結基を示す。表Ｃには、左手側または右手側末端基についてのコードの意味を示す。表Ｄに、それらの各略語を有する化合物の例示的な構造を示す。
【０１２７】
【表１−１】
2020021065.tif 000127
【０１２８】
【表１−２】
2020021065.tif 000128
【０１２９】
【表２】
2020021065.tif 000129
【０１３０】
【表３】
2020021065.tif 000130
【０１３１】
ここで、ｎおよびｍはそれぞれ、整数を示し、３つのドット「．．．」は、この表からの他の略語のためのプレースホルダである。
【０１３２】
下記表に、各略語と共に例示的な構造を示す。これらは、略語の規則の意味を説明するために示したものである。それらはさらに、好ましく使用される化合物を表す。
【０１３３】
表Ｄ：例示的な構造
例示的な構造は、特に好ましく利用される化合物を示す。
【０１３４】
【表４−１】
2020021065.tif 000131
【０１３５】
【表４−２】
2020021065.tif 000132
【０１３６】
【表４−３】
2020021065.tif 000133
【０１３７】
【表４−４】
2020021065.tif 000134
【０１３８】
【表４−５】
2020021065.tif 000135
【０１３９】
【表４−６】
2020021065.tif 000136
【０１４０】
ここで、ｎ∋｛１；２；３；４；５；６；７｝、ｍ∋｛１；２；３；４；５；６；７｝およびｋ∋｛１；２；３；４｝、好ましくは２または４、最も好ましくは２であり、ｌ∋｛１；２；３｝、好ましくは１である。
【０１４１】
下記表、表Ｅに、本発明による液晶媒体に安定剤として使用することができる例示的な化合物を示す。媒体中のこれらおよび同様の化合物の全濃度は、好ましくは５％以下である。
【０１４２】
【表５−１】
2020021065.tif 000137
【０１４３】
【表５−２】
2020021065.tif 000138
【０１４４】
【表５−３】
2020021065.tif 000139
【０１４５】
【表５−４】
2020021065.tif 000140
【０１４６】
本発明の好ましい実施形態では、液晶媒体は、表Ｅからの化合物の群から選択される１つ以上の化合物を含む。
【０１４７】
本発明による液晶媒体は、好ましくは上記表からの化合物からなる群から選択される２種以上、好ましくは４種以上の化合物を含む。
【０１４８】
本発明による液晶媒体は、好ましくは
−  表Ｄからの化合物の群から選択される、７種以上、好ましくは８種以上の化合物、好ましくは３種以上、好ましくは４種以上の異なる式を有する化合物
を含む。
【実施例】
【０１４９】
下記実施例は、本発明を何ら限定することなく本発明を例示するものである。ただし、物理的性質から、どのような性質を達成することができ、どのような範囲でそれらを改変することができるかは、当業者に明らかとなる。このため、特に、好ましく達成することができる種々の特性の組み合わせは、当業者に十分に定義される。
【０１５０】
ネマチック液晶混合物Ｃ１、Ｃ２およびＮ１〜Ｎ１２を下記のように製造する。
【０１５１】
【表６】
2020021065.tif 000141
【０１５２】
【表７】
2020021065.tif 000142
【０１５３】
【表８】
2020021065.tif 000143
【０１５４】
【表９】
2020021065.tif 000144
【０１５５】
ＳＴ−１６、ＳＴ−３ａ−１、ＳＴ−３ｂ−１およびＳＴ−８−１から選択される安定剤を以下の表に与えられる量で添加することにより、媒体Ｎ２から媒体Ｎ３〜Ｎ６を製造する。
【０１５６】
【化１１５】
2020021065.tif 000145
【０１５７】
【表１０】
2020021065.tif 000146
【０１５８】
媒体Ｎ１〜Ｎ１２のいずれかを備えたＬＣズームレンズは、媒体Ｃ１またはＣ２を備えたズームレンズより、最短焦点距離が短く、駆動電圧が低い。
【外国語明細書】
2020021065.tif 000174
2020021065.tif 000175
2020021065.tif 000176
2020021065.tif 000177
2020021065.tif 000178
2020021065.tif 000179
2020021065.tif 000180
2020021065.tif 000181
2020021065.tif 000182
2020021065.tif 000183
2020021065.tif 000184
2020021065.tif 000185
2020021065.tif 000186
2020021065.tif 000187
2020021065.tif 000188
2020021065.tif 000189
2020021065.tif 000190
2020021065.tif 000191
2020021065.tif 000192
2020021065.tif 000193
2020021065.tif 000194
2020021065.tif 000195
2020021065.tif 000196
2020021065.tif 000197
2020021065.tif 000198
2020021065.tif 000199
2020021065.tif 000200
2020021065.tif 000201
2020021065.tif 000202
2020021065.tif 000203
2020021065.tif 000204
2020021065.tif 000205
2020021065.tif 000206
2020021065.tif 000207
2020021065.tif 000208
2020021065.tif 000209
2020021065.tif 000210
2020021065.tif 000211
2020021065.tif 000212
2020021065.tif 000213
2020021065.tif 000214
2020021065.tif 000215
2020021065.tif 000216
2020021065.tif 000217
2020021065.tif 000218
2020021065.tif 000219
2020021065.tif 000220
2020021065.tif 000221
2020021065.tif 000222
2020021065.tif 000223
2020021065.tif 000224
2020021065.tif 000225
2020021065.tif 000226
2020021065.tif 000227
2020021065.tif 000228
2020021065.tif 000229
2020021065.tif 000230
2020021065.tif 000231
2020021065.tif 000232
2020021065.tif 000233
2020021065.tif 000234
2020021065.tif 000235
2020021065.tif 000236
2020021065.tif 000237
2020021065.tif 000238
2020021065.tif 000239
2020021065.tif 000240
2020021065.tif 000241
2020021065.tif 000242
2020021065.tif 000243
2020021065.tif 000244
2020021065.tif 000245
2020021065.tif 000246
2020021065.tif 000247
2020021065.tif 000248
2020021065.tif 000249
2020021065.tif 000250
2020021065.tif 000251
2020021065.tif 000252
2020021065.tif 000253
2020021065.tif 000254
2020021065.tif 000255
2020021065.tif 000256
2020021065.tif 000257
2020021065.tif 000258
2020021065.tif 000259
2020021065.tif 000260
2020021065.tif 000261
2020021065.tif 000262